(57)【特許請求の範囲】
【請求項１】
ヘッド部３のフェース面５の仮想スイートスポット部５ａに対応する位置に、ゴルフボールの直径より広い幅を有する開口部６を設けると共に、該開口部６に連続すると共にその側面に緩衝材９を設けた空洞部８をヘッド部３内に形成したゴルフ練習用クラブ。
【請求項２】
ヘッド部３を開閉自在にすると共に、弾性体１１を介在させることで該ヘッド部３を閉方向に付勢した請求項1に記載のゴルフ練習用クラブ。
【発明の詳細な説明】
【技術分野】
【０００１】
本発明はゴルフ練習用クラブ、より詳しくはクラブヘッドが正しい軌道を通過するスイングを習得するための練習用クラブに関する。
【背景技術】
【０００２】
下記特許文献には、クラブヘッドのスイートスポット付近が欠落しているゴルフ練習用クラブが提示されている。
【先行技術文献】
【特許文献】
【０００３】
【特許文献１】特開２００９−１３６６４１号公報
【発明の概要】
【発明が解決しようとする課題】
【０００４】
ゴルフの初心者がドライバー等のゴルフクラブでゴルフボールを打つと、ボールがスライスしたりフックしたりするなど、意図していない方向にボールが曲がりがちである。その原因の一つは、スイング中のクラブヘッドが正しい軌道を通過していないことにある。
【０００５】
そのため、ゴルファーはゴルフ練習場などにおいて、スイング中のクラブヘッドが正しい軌道を通っているか否について目視にて確認をしながら、打撃練習を行う。しかしながら、スイングは高速で行われるので、それを目視にて確認することは難しい。
【０００６】
スイングフォームで大切なことは、フェース面のスイートスポット部で打撃すること、及び打球時のフェイス面がボールを飛ばしたい方向に対し垂直を維持していることである。
【０００７】
本発明は、上述した技術背景に鑑みてなされたもので、その目的は、スイートスポット部で打撃するスイングを容易に習得するための、ゴルフ練習用クラブを提供することにある。
【課題を解決するための手段】
【０００８】
上記課題を解決するために、請求項１記載にかかるゴルフ練習用クラブは、次のように構成した。
【０００９】
請求項１：ヘッド部のフェース面のスイートスポット部に対応する位置に、ゴルフボールの直径より広い幅を有する開口部を設けると共に、該開口部に連続する空洞部をヘッド部内に形成する。
【００１０】
また、請求項２記載にかかるゴルフ練習用クラブは、下記に示すように構成した。
【００１１】
請求項２：請求項１記載のゴルフ練習用クラブにおいて、空洞部の側面に緩衝材を設ける。
【００１２】
更には、請求項３記載にかかるゴルフ練習用クラブは、以下のように構成した。
【００１３】
請求項３：請求項１又は請求項２記載のゴルフ練習用クラブにおいて、ヘッド部を開閉自在にすると共に、弾性体を介在させることで該ヘッド部を閉方向に付勢する。
【発明の効果】
【００１４】
本発明に係るゴルフクラブでは、クラブヘッドのフェース面のスイートスポット部に対応する位置に、ゴルフボールの直径より広い幅を有する開口部が設けてある。それゆえ、ゴルフボールがスイートスポット部に正確に当たるスイングが出来れば、ゴルフボールは開口部から開口部と連続する空洞部へと嵌り込む。かように空洞部に嵌り込むか否かで、正しいスイングが出来ているかどうかを容易に確認でき、かかる練習を繰り返すことで、安定したスイングを身につけることが可能となるのである。
【００１５】
また、空洞部側面に緩衝材を設けることで、嵌り込んだゴルフボールを挟持することが可能となり、つまりはスイートスポット部に対応した位置で打撃した際には、ゴルフボールがクラブに嵌って抜け出なくなる。これに対し、打ち損じた場合にはゴルフボールは嵌り込むことなく、意外の方向に飛んでいくことになる。かように自分が正しいスイングが出来ているかどうかを、一目瞭然に判別することが可能となるのである。
【００１６】
請求項３記載のゴルフ練習用クラブにおいては、ヘッド部を開閉自在とすると共に、ヘッド部を閉じる方向に付勢する弾性体が介在させてある。この弾性体の付勢により、空洞部に嵌り込んだゴルフボールを挟持することが可能となり、つまりはスイートスポット部に対応した位置で打撃した際には、ゴルフボールがクラブに嵌って抜け出なくなる。これにより、前記と同じく自分が正しいスイングが出来ているかどうかを、一目瞭然に判別することが可能とるのである。
【図面の簡単な説明】
【００１７】
【図１】本発明に係るゴルフ練習用クラブのクラブヘッドの正面図
【図２】本発明に係るゴルフ練習用クラブのクラブヘッドを、ゴルフボールと共に示した平面図
【図３】図１におけるＡ−Ａ線断面図
【図４】請求項３記載に係るゴルフ練習用クラブのクラブヘッドを、ゴルフボールと共に示した平面図
【図５】同、ゴルフボールが空洞部に入った状態を示す平面図
【発明を実施するための形態】
【００１８】
以下、好ましい発明の一実施形態につき図面を参照しながら述べる。
【００１９】
本発明に係るゴルフ練習用クラブの特徴はヘッド部に存し、その他の部分、つまりグリップやシャフトは正規のクラブと同等の材料、形状寸法に製作されるものである。よって、以下、ヘッド部について詳述する。
【００２０】
図１において１は本施形態に係るゴルフ練習用クラブである。このゴルフ練習用クラブ１は、ウッドクラブであり、詳述するとドライバーである。図２は、このゴルフ練習用クラブ１をアドレスした際の状態を示している。
【００２１】
このゴルフ練習用クラブ１の所定長さを有するシャフト２の先端部にはヘッド部３が設けられている。本発明では、このヘッド部３の材質は限定されるものではなく、ステンレス鋼、カーボン、チタン（その合金を含む。）等が挙げられる。
【００２２】
図２において、Ｈは、ゴルフボール４の直径であり、一般に、１．６８０インチ（４２．６７ｍｍ）あるいは、１．６８０インチ以上に設定されている。
【００２３】
また、５は、このゴルフ練習用クラブ１のヘッド部３のフェース面であり、５ａはこのフェース面５の仮想スイートスポット部である。仮想スイートスポット部５ａに対応する位置に、ゴルフボール４の直径Ｈより広い幅を有する開口部６が設けてある。開口部６に連続してヘッド部３内には空洞部８が設けられている。
【００２４】
図３や図４に示すように、この空洞部８の両側面には、緩衝材９が取り付けられている。ゴルフボールが空洞部８の壁面に衝突した際の衝撃を吸収すると共に、ゴルフボールを狭持するために設けられるものであり、材質としては軟質ゴムやスポンジ、ウレタンなどを利用可能である。緩衝材９は空洞部８の側面に糊着してあり、摩耗した際には容易に取り替え可能なものである。
【００２５】
７はヘッド部３のトップ面であり、スイング時の空気抵抗の減少等を図るために、従来品と同様に湾曲形状に形成してある。
【００２６】
図４及び図５は、請求項３記載に係るゴルフ練習用クラブを示すものである。ヘッド部３は湾曲した形状のヘッド構成部３ａ，３ｂより成り、このヘッド構成部３ａ，３ｂは軸１０を中心に開閉自在なものである。
【００２７】
つまり図５に示すように、ゴルフボール４が開口部６から空洞部８へと嵌り込んでいる状態ではヘッド部３は開状態となり、ゴルフボール４が嵌っていない状態では、図４に示すように、ヘッド部３は弾性体１１の作用により閉状態となる。このように弾性体１１はヘッド部３を閉方向に付勢するものであり、具体的には実線で示す板バネ１１ａや、仮想線で示す引張バネ１１ｂが使用可能である。むろん板バネや引き張りバネに限定されるものではなく、閉方向に付勢可能な弾性体であれば、任意のものを使用できる。また、緩衝材９は前記のものと同様なものを使用できる。
【符号の説明】
【００２８】
３・・ヘッド部
５・・フェース面
５ａ・・仮想スイートスポット
６・・開口部
８・・空洞部
９・・緩衝材
１１・・弾性体
【図１】
0005580105.tif 000002
【図２】
0005580105.tif 000003
【図３】
0005580105.tif 000004
【図４】
0005580105.tif 000005
【図５】
0005580105.tif 000006